(57)【要約】【課題】簡易な構造で低コストとなる装置により、アスベストを減容して処理コストの低減を図るようにした。【解決手段】減容化装置１は、圧縮位置Ｒ１と待機位置Ｒ２との間を往復移動する圧縮容器２と、圧縮位置Ｒ１にある圧縮容器２の内側に進入すると共に上下方向に移動する圧縮板３とを備えている。圧縮容器２の内側に収納用袋体５を設けてから、圧縮容器２内にアスベストＳを投入し、圧縮位置Ｒ１にセットした圧縮容器２の上方から圧縮板３を下降させてアスベストＳを圧縮して減容し、その後、圧縮板３を上昇させて圧縮容器２を待機位置Ｒ２に移動し、減容化アスベストＳ´を収納用袋体５と共に取り出すようにした。【選択図】図２
2008030118.tif 000002
【特許請求の範囲】
【請求項１】
アスベストを減容化するためのアスベストの減容化装置であって、
上側に投入口を有し、圧縮位置に設けられた圧縮容器と、
前記圧縮位置にある前記圧縮容器の内側に上方から進入すると共に、上下方向に移動する圧縮板と、
前記圧縮板を上下方向に移動させるための押圧手段と、
前記圧縮容器の内側又は外側に着脱可能に設けられた収納用袋体と、
を備えていることを特徴とするアスベストの減容化装置。
【請求項２】
前記圧縮容器は、底盤架台上を、前記圧縮位置と待機位置との間を往復移動するように構成されていることを特徴とする請求項１に記載のアスベストの減容化装置。
【請求項３】
前記圧縮容器の内面には、下方に向かって漸次、前記圧縮容器の開口断面が小さくなるテーパ面が形成されていることを特徴とする請求項１又は２に記載のアスベストの減容化装置。
【請求項４】
前記圧縮容器の外周面には、下方に向かって漸次外径が小さくなるテーパが形成され、
前記圧縮容器には、その内部に収納される収納用袋体の上端部を前記外周面側で前記圧縮容器の周方向に締め付けるバンド状の袋体固定冶具が設けられていることを特徴とする請求項１乃至３のいずれかに記載のアスベストの減容化装置。
【請求項５】
前記圧縮板には、厚さ方向に貫通する第１空気穴が形成されていることを特徴とする請求項１乃至４のいずれかに記載のアスベストの減容化装置。
【請求項６】
前記圧縮容器の底盤部には、厚さ方向に貫通する第２空気穴が形成されていることを特徴とする請求項１乃至５のいずれかに記載のアスベストの減容化装置。
【請求項７】
前記圧縮容器は、該圧縮容器の下面が開口され、前記圧縮位置から上方の第二待機位置に移動可能に設けられていることを特徴とする請求項１に記載のアスベストの減容化装置。
【請求項８】
前記圧縮板の移動範囲の周囲には、カバー体が設けられていることを特徴とする請求項１乃至７のいずれかに記載のアスベストの減容化装置。
【請求項９】
前記減容化装置を構成する各部材は、任意の大きさに分割されていて、前記部材同士が取り外し可能となるように連結されていることを特徴とする請求項１乃至８のいずれかに記載のアスベストの減容化装置。
【請求項１０】
圧縮容器の内側又は外側に収納用袋体を設けてから、前記圧縮容器内にアスベストを投入し、
圧縮位置で前記圧縮容器の上方から圧縮板を前記圧縮容器の内側に下降させ、前記アスベストを圧縮して減容し、
その後、前記圧縮板を上昇させて前記圧縮容器を前記圧縮位置から外れた待機位置に移動し、減容化された前記アスベストを前記収納用袋体と共に取り出すようにしたことを特徴とするアスベスト減容方法。
【発明の詳細な説明】
【技術分野】
【０００１】
本発明は、建設現場等から発生するアスベストの減容化装置及びアスベスト減容方法に関する。
【背景技術】
【０００２】
従来、建築物の天井や壁などの建築資材には、保温性、耐火性の効果が高いといった理由からアスベスト（石綿）が多く使用されていた。しかしながら、周知のとおり、アスベストは、非常に微細な繊維形状をなしており、とくにアスベストが室内空間に露出している部分が剥がれ落ちると空気中にアスベストが飛散し、それを人が吸引したときに人体への健康被害を引き起こす可能性が大きい。このような背景から、近年では、アスベストが使用されている部分を封じ込める方法や除去する方法が実施されている。
そして、廃棄物処理法では吹き付けアスベストなどを「飛散性アスベスト」と規定しているため、除去した吹き付けアスベストをコンクリートで固化させたり、二重梱包を施したりしてから最終処分場に投入している。
この他のアスベストの飛散を防止するための処理方法として、例えば特許文献１、２に開示されているものがある。
特許文献１は、添加剤（アルカリ、水、ケイ酸塩化合物）をアスベストに加え、水熱反応させてアスベストの繊維形状を非針状化させる或いは固化させる処理装置を使用した処理方法である。この処理装置には、アスベストや各種添加剤用のホッパ、これらを混合する混合機、水熱反応させるための加圧機やヒータなどが装備されている。
特許文献２は、アスベストを投入口からシュート路を通過させて溶湯炉に誘導させ、溶融処理する装置を使用する処理方法である。ここで溶融されたアスベストは、再び冷却により固化されて飛散のない無害な物質に処理することができる。
【特許文献１】特開平１−１７１６８５号公報
【特許文献２】特開平７−１７１５３６号公報
【発明の開示】
【発明が解決しようとする課題】
【０００３】
しかしながら、特許文献１および特許文献２は、アスベストを処理する装置の構造が複雑であるため、装置にかかるコストが高くなっていた。また、これらの装置では、添加剤の混合、水熱反応処理や溶融処理といったランニングコストや処理時間がかかる方法によるものであることから、処理コストが増大するといった問題があった。
また、アスベストを適正に処理するために必要な最終処分場が不足しているといった現状もあり、上述したようなアスベストをコンクリートで固化したり、二重梱包を施して処分する従来の方法では、処分する容量が増加し、処分にかかる費用が大きくなるといった問題があった。
【０００４】
本発明は、上述する問題点に鑑みてなされたもので、簡易な構造で低コストとなる装置により、アスベストを減容して処理コストの低減を図るようにしたアスベストの減容化装置及びアスベスト減容方法を提供することを目的とする。
【課題を解決するための手段】
【０００５】
上記目的を達成するため、本発明に係るアスベストの減容化装置では、アスベストを減容化するためのアスベストの減容化装置であって、上側に投入口を有し、圧縮位置に設けられた圧縮容器と、圧縮位置にある圧縮容器の内側に上方から進入すると共に、上下方向に移動する圧縮板と、圧縮板を上下方向に移動させるための押圧手段と、圧縮容器の内側又は外側に着脱可能に設けられた収納用袋体とを備えていることを特徴としている。
また、本発明に係るアスベスト減容方法では、圧縮容器の内側又は外側に収納用袋体を設けてから、圧縮容器内にアスベストを投入し、圧縮位置で圧縮容器の上方から圧縮板を圧縮容器の内側に下降させ、アスベストを圧縮して減容し、その後、圧縮板を上昇させて圧縮容器を圧縮位置から外れた待機位置に移動し、減容化されたアスベストを収納用袋体と共に取り出すようにしたことを特徴としている。
本発明では、圧縮容器の内側又は外側に収納用袋体をセットし、圧縮容器にアスベストを投入した状態で圧縮位置へ移動させてセットし、押圧手段により圧縮板を降下させ、その圧縮板によって圧縮容器内のアスベストを押圧して圧縮させることができる。そして、圧縮板を上昇させて所定位置に戻した後、圧縮容器を圧縮位置から待機位置へ移動させ、減容化したアスベストを収納用袋体内に収納させた状態で取り出すことができる。
【０００６】
また、本発明に係るアスベストの減容化装置では、圧縮容器は、底盤架台上を、圧縮位置と待機位置との間を往復移動するように構成されていることが好ましい。
本発明では、底盤架台上の待機位置において圧縮容器の内側に収納用袋体をセットし、圧縮位置でアスベストを圧縮して減容した後に、圧縮容器の投入口から収納用袋体を引き上げることで、減容化アスベストを収納用袋体に収納された状態で取り出すことができる。
【０００７】
また、本発明に係るアスベストの減容化装置では、圧縮容器の内面には、下方に向かって漸次、圧縮容器の開口断面が小さくなるテーパ面が形成されていることが好ましい。
本発明では、テーパ面は、圧縮容器内で圧縮された減容化アスベストは上向き、つまり減容化されたアスベストが圧縮容器から上方に出ようとする方向の力が発生する。そのため、収納用袋体に入れられた減容化アスベストを、取り出しの際にほとんど力をかけずに負担無く圧縮容器から取り出すことができる。
【０００８】
また、本発明に係るアスベストの減容化装置では、圧縮容器の外周面には、下方に向かって漸次外径が小さくなるテーパが形成され、圧縮容器には、その内部に収納される収納用袋体の上端部を外周面側で圧縮容器の周方向に締め付けるバンド状の袋体固定冶具が設けられていることが好ましい。
本発明では、袋体固定冶具によって締め付けられた収納用袋体内にアスベストが収容され、圧縮板によって圧縮されると、収納用袋体は圧縮容器の内側に引き込まれるとともに、圧縮容器の外周面がテーパ状に形成されているので、袋体固定冶具も袋体の上端部とともに外周面を滑って上方に移動することになる。そのため、圧縮する際に収納用袋体の上端部がまくれて、それをセットし直すといった手間のかかる作業をなくし、作業効率の低下を防ぐことができる。
【０００９】
また、本発明に係るアスベストの減容化装置では、圧縮板には、厚さ方向に貫通する第１空気穴が形成されていることが好ましい。
本発明では、収納用袋体と圧縮板との間の空気の逃げ道が形成されるため、圧縮による収納用袋体の破裂を防ぐことができ、破裂によって生じる袋体内部のアスベストの飛散を防止することができる。
【００１０】
また、本発明に係るアスベストの減容化装置では、圧縮容器の底盤部には、厚さ方向に貫通する第２空気穴が形成されていることが好ましい。
本発明では、圧縮された収納用袋体を圧縮容器から取り出す際、圧縮容器に第２空気穴を設けることにより、圧縮後に圧縮板を上昇させて所定位置に戻したときに、収納用袋体と底盤部との間の隙間に第２空気穴を介して空気が流入して両者が密着状態でなくなることから、圧縮容器から収納用袋体を容器に取り出すことができる。そのため、圧縮容器に第２空気穴がない場合のように、収納用袋体と底盤部とが真空状態となって密着した状態となって、取り出しにくいうえ、無理に引っ張り出そうとすると収納用袋体が破けるといった不具合をなくすことができる。
【００１１】
また、本発明に係るアスベストの減容化装置では、圧縮容器は、圧縮容器の下面が開口され、圧縮位置から上方の第二待機位置に移動可能に設けられていることが好ましい。
本発明では、圧縮容器を下方より覆い被せるようにしてその外側に収納用袋体をセットし、圧縮位置でアスベストを圧縮して減容した後に、圧縮容器を上方に引き上げると、減容化されたアスベストを収納用袋体に収納させることができる。
【００１２】
また、本発明に係るアスベストの減容化装置では、圧縮板の移動範囲の周囲には、カバー体が設けられていることが好ましい。
本発明では、作業員が圧縮板と干渉して挟まれるようなことを防止できることから、安全性を向上させることができる。
【００１３】
また、本発明に係るアスベストの減容化装置では、減容化装置を構成する各部材は、任意の大きさに分割されていて、部材同士が取り外し可能となるように連結されていることが好ましい。
本発明では、例えば各部材の連結固定箇所に取付ピンなどの連結部材を採用することで取り外し可能で簡易な構造とし、さらに各部材の分割重量を例えば３０ｋｇ以内など任意の大きさに分割することで、減容化装置の組立、解体が容易となるうえ、組立解体作業を大型の揚重機械や搬送機械を用いることがなくなり、これらの機械をアスベスト作業エリアに持ち込む必要がなくなる。
【発明の効果】
【００１４】
本発明のアスベストの減容化装置及びアスベスト減容方法によれば、処分するアスベストの容量を小さくすることができる。そのため、例えば処分場に運搬する回数（車両数）を減らすことができ、運搬費を削減できるなど処理にかかるコストを低減することができる。
また、減容化装置は、従来のように薬剤などを混合したり、溶融させるような複雑な装置を用いた処分方法ではなく、圧縮容器内でアスベストを圧縮させる簡易な構造であることから、装置にかかるコストを低減させることができる。
さらに、減容化装置内で、収納用袋体にアスベストを圧縮収容できるため、減容化アスベストを収納用袋体と共に廃棄処理することができ、処理過程においてアスベストが周囲に飛散することがなく、安全性を向上することができる。
【発明を実施するための最良の形態】
【００１５】
以下、本発明の第一の実施の形態によるアスベストの減容化装置及びアスベスト減容方法について、図１乃至図６に基づいて説明する。
図１は本発明の第一の実施の形態によるアスベストの減容化装置の正面図、図２は同じく減容化装置の側面図、図３は同じく減容化装置の平面図、図４（ａ）〜（ｃ）は減容化装置を用いた減容化手順を示す工程説明図、図５（ａ）〜（ｃ）は図４（ｃ）に続く減容化手順を示す工程説明図、図６（ａ）〜（ｃ）は図５（ｃ）に続く減容化手順を示す工程説明図である。
【００１６】
図１に示すように、本第一の実施の形態によるアスベストの減容化装置１は、例えば建設現場などから廃材として取り出されたアスベストＳを所定の処理場へ運搬して処分する処理過程に採用されるものであって、アスベストＳを減容化させる装置である。
図１及び図２に示すように、減容化装置１は、平面視で長方形状をなして圧縮位置Ｒ１と待機位置Ｒ２とを有する底盤架台７と、底盤架台７の圧縮位置Ｒ１で底盤架台７の短手方向を跨ぐように門型形状に立設された支持フレーム６と、ロッド先端部４ａを下方に向けて支持フレーム６に固定された油圧シリンダ４（押圧手段）と、油圧シリンダ４のロッド先端部４ａに固定されていて圧縮位置Ｒ１で上下方向に移動可能とされる圧縮板３と、圧縮位置Ｒ１と待機位置Ｒ２との間を往復移動する圧縮容器２と圧縮容器２の内側に着脱可能に設けられる収納用袋体５とから概略構成されている。
【００１７】
ここで、圧縮位置Ｒ１は、圧縮容器２に投入されたアスベストＳを圧縮板３で圧縮する位置であって、門型形状をなす支持フレーム６の内側Ｔ（図１参照）で、詳しくは後述するが円盤状をなす圧縮板３と圧縮容器２との中心軸が同軸となる位置となる。また、待機位置Ｒ２は、圧縮容器２が支持フレーム６の内側Ｔから外れた位置であって、アスベストＳの投入或いは取り出しが可能な位置とされる。
【００１８】
図３に示すように、底盤架台７は、その長手方向（圧縮容器２の移動方向）に圧縮位置Ｒ１と待機位置Ｒ２とを配し、底盤架台７の両側部にガイド部材７ａ、７ｂが延設されている。この両ガイド部材７ａ、７ｂは、それらの相互間で圧縮容器２を横移動可能に案内させるものである。
【００１９】
図１に示すように、支持フレーム６は、その上方の位置で、上述したように圧縮板３及び油圧シリンダ４を支持するためのものであり、上述したように底盤架台７の短手方向（圧縮容器２の移動方向に直交する方向）を跨ぐようにして門型形状に枠組みされて構成されている。具体的には、図３に示すように、底盤架台７の圧縮位置Ｒ１に所定の高さ寸法を有する縦フレーム６ａ、６ａが立設され、両縦フレーム６ａ，６ａの上部に橋渡しするように横フレーム６ｂ、６ｂが設けられている。
そして、横フレーム６ｂ、６ｂには、その略中央位置（底盤架台７の短手方向の略中心位置）において、上述したようにロッド先端部４ａを下方に向けた状態で油圧シリンダ４が固定されている（図１参照）。
【００２０】
図２及び図３に示すように、圧縮容器２は、鋼材などからなる円筒形状をなし、円筒軸を上下方向に向け、上方に開口した投入口２ｂを有し、底盤部２ｃが形成されている。そして、底盤架台７上の一端側（圧縮位置Ｒ１）から他端側（待機位置Ｒ２）に図示しない移動手段によって軸方向（長手方向）に横移動可能とされている。
【００２１】
図３に示すように、油圧シリンダ４に取り付けられる圧縮板３は、圧縮容器２の内径より略同径又は少し小さな外径寸法の円盤形状をなし、その円盤面を上下方向に向けて配置されている。図２に示すように、この圧縮板３は、油圧シリンダ４の作動によって上下方向に移動する。つまり、圧縮板３は、圧縮容器２が圧縮位置Ｒ１にあるとき、圧縮容器２の内側に進入すると共に、上下方向に移動可能となる構成をなしている。これにより、圧縮容器２内のアスベストＳは、圧縮板３の下降によって押圧されて圧縮されることになる。
なお、このときの油圧シリンダ４のロッド４ｂ（図１参照）の伸縮長は、圧縮板３が圧縮容器２の底盤部２ｃに達する長さとすることが好ましい。
【００２２】
また、図１及び図２に示すように、収納用袋体５は、廃棄用の袋であって、例えばビニール製、ポリエチレン製などの材料からなり、圧縮容器２の内面２ａに沿うようにして設けておき、その上端部５ａを、圧縮容器２より外側に出して保持させておく。なお、この収納用袋体５は、引っ張られて破れないような材料であることが好ましいとされる。また、この収納用袋体５は、圧縮容器２とほぼ同じ大きさ（形状）、容量のものを採用することが好ましい。
【００２３】
次に、このような構成からなる減容化装置１を使用した減容化手順、アスベスト減容方法について図面に基づいて説明する。
図４（ａ）に示すように、先ず、待機位置Ｒ２にある圧縮容器２の内面２ａに沿うようにして収納用袋体５をセットする。このとき、収納用袋体５の上端部５ａは、圧縮容器２内に入らないように圧縮容器２の外側に出した状態で仮に固定しておく。そして、建設現場などから排出されたアスベストＳを圧縮容器２にほぼ満杯となるように投入する。
その投入後、図４（ｂ）に示すように、圧縮容器２を図示しない移動手段によって矢印Ｅ１方向に横移動させて圧縮位置Ｒ１に停止させてセットする。
【００２４】
次に、図４（ｃ）に示すように、油圧シリンダ４を作動させて図４（ｂ）に示す上昇位置（最上部Ｇとする）にある圧縮板３を下降させ、この圧縮板３の押圧力で圧縮容器２内のアスベストＳを押し潰すようにして圧縮して減容化させる（これを、「一次圧縮」とする）。これにより、圧縮容器２内のアスベストＳは、例えば図４（ｃ）のように圧縮容器２の高さ寸法の略半分に減容化させることができる。
ここで、減容化されたアスベストを、減容化前のアスベストと区別するため、「減容化アスベストＳ´」として以下説明する。
【００２５】
その後、図５（ａ）に示すように、油圧シリンダ４のロッド４ｂ（図１、図４（ｃ）参照）を収縮して圧縮板３を最上部Ｇまで上昇させて所定の位置に戻す。
次いで、図５（ｂ）に示すように、圧縮容器２を再び待機位置Ｒ２に戻し、減容化アスベストＳ´の上からアスベストＳを更に投入して、圧縮容器２をほぼ満杯にする。そして、上述した手順と同様に圧縮容器２を圧縮位置Ｒ１にセットし（図５（ｃ）参照）、圧縮板３を下降させることで圧縮容器２内の減容化されていない上層位置にあるアスベストＳが圧縮されることになる（図６（ａ）参照）。なお、これを、「二次圧縮」とする。その後、圧縮板３を最上部Ｇまで上昇させてから圧縮容器２を待機位置Ｒ２に移動させる（図６（ｂ）参照）。
【００２６】
そして、図６（ｃ）に示すように、減容化アスベストＳ´が収納されている収納用袋体５を圧縮容器２から取り出す。このとき、収納用袋体５の上端部５ａを把持して引き上げるようにすればよい。これで、１枚の収納用袋体５に対するアスベストＳの袋詰め作業が完了することになる。
そして、再び新しい収納用袋体５を圧縮容器２内にセットし、上記減容化手順（図４〜図６の手順）を繰り返し行うことで、順次アスベストＳを減容化させることができる。
このようにして収納用袋体５に詰め込まれた減容化アスベストＳ´は、減容化前のアスベストＳに比べて、例えば略３分の１程度の容量に圧縮させることができる。
【００２７】
上述のように本第一の実施の形態によるアスベストの減容化装置及びアスベスト減容方法では、処分するアスベストＳの容量を小さくすることができる。そのため、例えば処分場に運搬する回数（車両数）を減らすことができ、運搬費を削減できるなど処理にかかるコストを低減することができる。
また、減容化装置１は、従来のように薬剤などを混合したり、溶融させるような複雑な装置を用いた処分方法ではなく、圧縮容器２内でアスベストＳを圧縮させる簡易な構造であることから、装置にかかるコストを低減させることができる。
さらに、減容化装置１内で、収納用袋体５にアスベストＳを圧縮収容できるため、減容化アスベストＳ´を収納用袋体５と共に廃棄処理することができ、処理過程においてアスベストＳが周囲に飛散することがなく、安全性を向上することができる。
【００２８】
次に、本発明の第一の実施の形態の第一及び第二変形例、第二乃至第四の実施の形態について、図７乃至図１５に基づいて説明するが、上述の第一の実施の形態と同一又は同様な部材、部分には同一の符号を用いて説明を省略し、第一の実施の形態と異なる構成について説明する。
図７は第一実施の形態の第一変形例による減容化装置を示す側面図である。
図７に示すように、第一変形例による減容化装置１は、圧縮容器２の内側面に、下方に向かって漸次内径が小さくなるようなテーパ面２ｄを形成させたものである。
テーパ面２ｄとしたことにより、圧縮容器２内で圧縮された減容化アスベストＳ´は上向き、つまり減容化アスベストＳ´が圧縮容器２から上方に出ようとする方向の力が発生するため、収納用袋体５に入れられた減容化アスベストＳ´を、ほとんど力をかけずに負担無く圧縮容器２から取り出すことができる。
【００２９】
また、図８は第一の実施の形態の第二変形例による減容化装置を示す図であって、（ａ）はその正面図、（ｂ）はその側面図、図９は第二変形例による安全装置の一例を示す図である。
図８（ａ）に示すように、第二変形例による減容化装置１は、圧縮位置Ｒ１にある圧縮容器２の上端２ｅと、支持フレーム６の横フレーム６ｂの下面６ｃとの間の隙間の外周側方部（つまり、圧縮板３の移動範囲の周囲の一部）を覆うカバー体８を設けたものである。そして、図８（ｂ）に示すように、圧縮容器２が往復移動する移動路に位置する箇所のカバー体８は、一部開閉可能な構成となっている。この開閉部分を、開閉扉８Ａとする。
この開閉扉８Ａは、圧縮位置Ｒ１で圧縮板３が圧縮容器２内に押し出されている作動時に閉じられ、圧縮板３が最上部Ｇで停止していて圧縮容器２が圧縮位置Ｒ１と待機位置Ｒ２との間を移動する際に、開閉扉８Ａの上部を支点にして矢印Ｆ方向に回動して開かれる。なお、この開閉扉８Ａは、圧縮板３を上下移動させるための油圧シリンダ４と連動させておき、開閉扉８Ａが開いているときにはこの油圧シリンダ４が作動しないようにしておいてもよい。
【００３０】
その一例として、図９に示すような安全装置がある。すなわち、図９に示す安全装置（以下、安全コック１２という）は、開閉扉８Ａの開閉を規制するロック機構と油圧シリンダ４の油圧配管４ｃの流路を開閉させる機構とを連動させたものである。油圧配管４ｃは、カバー体８に近接した位置で圧縮容器２に沿って設けられている。安全コック１２は、油圧配管４ｃの開閉バルブであって、把持部１２ａが支持部１２ｂを軸に回転可能とされている。把持部１２ａが略水平方向（図中符号Ｔ１の位置）に位置するときには、開閉扉８Ａをロックさせるとともに、油圧配管４ｃの流路が開かれた状態となって図８に示す油圧シリンダ４へ油が供給される。また、把持部１２ａが上下方向（図中符号Ｔ２の位置）に位置するときには、開閉扉８Ａのロックが解除された状態になるとともに、油圧配管４ｃの流路が閉じた状態となって油圧シリンダ４への油の供給が停止される。つまり、カバー体８の開閉扉８Ａが開いているときには、油圧シリンダ４が作動せず、圧縮板３が動かないようになっている。
本第二変形例では、カバー体８を設けることで、例えば作業員が圧縮板３と干渉して挟まれるようなことを防止できることから安全性を向上させることができる。
【００３１】
次に、図１０は本発明の第二の実施の形態による減容化装置の側面図、図１１は同じく減容化装置の正面図である。
図１０及び図１１に示すように、第二の実施の形態の減容化装置１Ａでは、圧縮容器２を上下方向に移動可能としたものである。つまり、圧縮容器２は、圧縮位置Ｒ１とその上方の所定位置をなす第二待機位置Ｒ３との間を往復移動することができる。
本減容化装置１Ａでは、支持フレーム６の縦フレーム６ａ、６ａのそれぞれに、ロッド先端部１０ａを上方に向けた昇降シリンダ１０、１０が固定されている。このロッド先端部１０ａ、１０ａは、圧縮容器２の上端に設けられた係止部材１１、１１に係止されている。そして、昇降シリンダ１０、１０の伸縮により、圧縮容器２は上下方向に往復移動する構成となっている。
また、第二の実施の形態による圧縮容器２の下面２ｆは開口されている。そして、支持フレーム６の横フレーム６ｂの高さは、圧縮容器２が第二待機位置Ｒ３に移動できるように所定の高さ寸法を確保できる位置とされる。
【００３２】
このように構成される第二の実施の形態による減容化装置１Ａを使用した減容化手順について説明する。
図１０及び図１１に示すように、先ず、圧縮位置Ｒ１において、圧縮容器２を下方より覆い被せるようにしてその外側に収納用袋体５をセットした後、圧縮容器２内にアスベストＳを投入する。そして、油圧シリンダ４を作動させて圧縮板３を下降させ、アスベストＳを圧縮して減容化させる。次に、圧縮板３を最上部Ｇまで上昇させ、さらに昇降シリンダ１０、１０を作動させ、圧縮容器２を上方に引き上げて第二待機位置Ｒ３に移動する。このとき、減容化アスベストＳ´は、収納用袋体５内に袋詰めされた状態となる。
このように、第二の実施の形態では、圧縮容器２の待機位置が圧縮位置Ｒ１の上方となっているが、第一の実施の形態と同様に簡易な構造の減容化装置１Ａにより、アスベストＳを減容化させることができ、圧縮容器２を圧縮位置Ｒ１から第二待機位置Ｒ３に移動させることで減容化アスベストＳ´を収納用袋体５と共に処分することができる。
【００３３】
次に、図１２（ａ）、（ｂ）は本発明の第三の実施の形態による減容化装置に袋体固定冶具を取り付けた状態を示す図、図１３は袋体固定冶具の一部を示す側面図である。
図１２（ａ）及び（ｂ）に示すように、本第三の実施の形態は、上述した第一の実施の形態による圧縮容器２において外周面が下方に向かって漸次外径が小さくなるテーパ状に形成されてなり、この圧縮容器２に収納した収納用袋体５の上端部５ａを、圧縮容器２の外周面側に折り返してバンド状の袋体固定冶具９によって周方向に締め付ける構成となっている。図１３に示すように、袋体固定冶具９は、バンド９ａと、バンド９ａの一端に設けた止め金具９ｂと、他端に固定部９ｃを介してハンドル部９ｄ及び止め金具９ｂに引っ掛けるように係止させるフック９ｅとを備えている。つまり、フック９ｅを止め金具９ｂに係止させてハンドル部９ｄを固定部９ｃ側（図中矢印Ｇ１方向）に回すことで、バンド９ａの両端が矢印Ｇ２方向に互いに引き寄せられて締め付けられる構成となっている。そして、バンド９ａは、鋼製の部材、好ましくはステンレスが使用されている。また、止め金具９ｂは、フック９ｅの係止位置をなす係止部９ｆが円弧状に形成され、係止部９ｆからバンド９ａに固定される固着部９ｇに向かってバンド９ａの長さ方向の寸法が大きくなるように形成されている。
【００３４】
そして、袋体固定冶具９によって締め付けられた収納用袋体５内にアスベストＳ（図１参照）が収容され、圧縮板３（図１参照）によって圧縮されると、収納用袋体５は圧縮容器２の内側に引き込まれるとともに、圧縮容器２の外周面がテーパ状に形成されているので、袋体固定冶具９も収納用袋体５の上端部５ａとともに前記外周面を滑って上方に移動（図１２（ｂ）に示す矢印Ｇ０方向）することになる。
このように、第三の実施の形態では、アスベストＳを投入して圧縮板３によって圧縮する際に、収納用袋体５の上端部５ａがまくれて、それをセットし直すといった手間のかかる作業をなくし、作業効率の低下を防ぐことができる。
【００３５】
次に、図１４は本発明の第四の実施の形態による減容化装置の圧縮容器及び圧縮板を示す立断面図、図１５は図１４に示す圧縮板の平面図である。
図１４及び図１５に示すように、本第四の実施の形態では、圧縮板３に厚さ方向に貫通する第１空気穴３ａが形成されるとともに、圧縮容器２の底盤部２ｃに厚さ方向に貫通する第２空気穴２ｇが形成されている。なお、第１及び第２空気穴３ａ、２ｇの位置、数量は任意とされる。圧縮板３の第１空気穴３ａは、収納用袋体５と圧縮板３との間の空気の逃げ道となる。そのため、圧縮による収納用袋体５の破裂を防ぐことができ、破裂によって生じる袋体内部に収容されたアスベストＳの飛散を防止することができる。
【００３６】
また、圧縮された収納用袋体５を圧縮容器２から取り出す際、圧縮容器２に第２空気穴２ｇが無い場合には、収納用袋体５と底盤部２ｃとが真空状態となって密着した状態となり、取り出しにくいうえ、無理に引っ張り出そうとすると収納用袋体５が破けるといった不具合がある。これに対し、圧縮容器２に第２空気穴２ｇを設けることにより、圧縮後に圧縮板３を上昇させて所定位置に戻したときに、収納用袋体５と底盤部２ｃとの間の隙間に第２空気穴２ｇを介して空気が流入して両者５、２ｃが密着状態でなくなることから、圧縮容器２から収納用袋体５を容易に取り出すことができる。
このように第四の実施の形態では、収納用袋体５を破裂させることなく、しかも収納用袋体５を容易に取り出すことができるので、作業効率を向上させることができる。
【００３７】
以上、本発明によるアスベストの減容化装置及びアスベスト減容方法の第一乃至第四の実施の形態、第一及び第二変形例について説明したが、本発明は上記の実施の形態、第一及び第二変形例に限定されるものではなく、その趣旨を逸脱しない範囲で適宜変更可能である。
例えば、本第一の実施の形態では１枚の収納用袋体５に対してアスベストＳの投入から減容までの作業手順（図４〜図６の作業手順）を一次圧縮と二次圧縮と二度繰り返す作業手順となっているが、二度の圧縮回数に限らず、圧縮容器２の容量の範囲内で、１回（１次圧縮のみ）又は３回以上（３次圧縮、４次圧縮、…）としてもかまわない。
また、本第一及び第二の実施の形態の減容化装置１、１Ａは、例えば図１６（ａ）及び（ｂ）に示すように、支持フレーム６と底盤架台７との連結固定箇所に取付ピン６Ａ、６Ｂを採用してもよい。このように減容化装置１、１Ａの部材同士を取り外し可能で簡易な構造とし、夫々の部材の分割重量を例えば３０ｋｇ以内となるように任意の大きさに分割することで、減容化装置の組立、解体が容易となるうえ、組立解体作業を大型の揚重機械や搬送機械を用いることがなくなり、これらの機械をアスベスト作業エリアに持ち込む必要がなくなるといった効果を奏する。
さらに、本第四の実施の形態では第１及び第２空気穴３ａ、２ｇを設けているが、これに限定されることはなく、例えばどちらか一方の空気穴のみであってもよく、また第１及び第２空気穴３ａ、２ｇ共に設けられていない構造であってもかまわない。
【図面の簡単な説明】
【００３８】
【図１】本発明の実施の形態によるアスベストの減容化装置の正面図である。
【図２】アスベストの減容化装置の側面図である。
【図３】アスベストの減容化装置の平面図である。
【図４】（ａ）〜（ｃ）は減容化装置を用いた減容化手順を示す工程説明図である。
【図５】（ａ）〜（ｃ）は図４（ｃ）に続く減容化手順を示す工程説明図である。
【図６】（ａ）〜（ｃ）は図５（ｃ）に続く減容化手順を示す工程説明図である。
【図７】第一実施の形態の第一変形例による減容化装置を示す側面図である。
【図８】第一実施の形態の第二変形例による減容化装置を示す図であって、（ａ）はその正面図、（ｂ）はその側面図である。
【図９】第二変形例による安全装置の一例を示す図である。
【図１０】本発明の第二の実施の形態による減容化装置の側面図である。
【図１１】本発明の第二の実施の形態による減容化装置の正面図である。
【図１２】（ａ）、（ｂ）は本発明の第三の実施の形態による減容化装置に袋体固定冶具を取り付けた状態を示す図である。
【図１３】袋体固定冶具の一部を示す側面図である。
【図１４】本発明の第四の実施の形態による減容化装置の圧縮容器及び圧縮板を示す立断面図である。
【図１５】図１４に示す圧縮板の平面図である。
【図１６】減容化装置の組み立て構造の図であって（ａ）はその正面図、（ｂ）はその側面図である。
【符号の説明】
【００３９】
１、１Ａ  減容化装置
２  圧縮容器
２ｂ  投入口
２ｇ  第２空気穴
３  圧縮板
３ａ  第１空気穴
４  油圧シリンダ（押圧手段）
５  収納用袋体
６  支持フレーム
７  底盤架台
８  カバー体
９  袋体固定冶具
Ｓ  アスベスト
Ｓ´  減容化アスベスト
Ｒ１  圧縮位置
Ｒ２  待機位置
Ｒ３  第二待機位置
【図１】
2008030118.tif 000003
【図２】
2008030118.tif 000004
【図３】
2008030118.tif 000005
【図４】
2008030118.tif 000006
【図５】
2008030118.tif 000007
【図６】
2008030118.tif 000008
【図７】
2008030118.tif 000009
【図８】
2008030118.tif 000010
【図９】
2008030118.tif 000011
【図１０】
2008030118.tif 000012
【図１１】
2008030118.tif 000013
【図１２】
2008030118.tif 000014
【図１３】
2008030118.tif 000015
【図１４】
2008030118.tif 000016
【図１５】
2008030118.tif 000017
【図１６】
2008030118.tif 000018